(57)【要約】【課題】１スパンの幅方向長さを十分に確保しながら、ハンドリング性、運搬及び搬入性及び施工効率等に優れたユニット型手摺りを提供する。【解決手段】上枠２０、下枠２１及び両側枠２２，２３によって囲まれた枠組み内に手摺子２４が設けられた一方側手摺りユニット２と、上枠３０、下枠３１及び両側枠３２，３３によって囲まれた枠組み内に手摺子３４が設けられた他方側手摺りユニット３とがヒンジ部材８を介して側枠同士が連結されて１つの手摺りユニット１が構成され、前記一方側手摺りユニット２と他方側手摺りユニット３とが折り重なるように折り畳み可能かつ同一平面状に展開可能となっている。【選択図】図１
2017071970.tif 000002
【特許請求の範囲】
【請求項１】
上枠、下枠及び両側枠によって囲まれた枠組み内に手摺子が設けられた一方側手摺りユニットと、上枠、下枠及び両側枠によって囲まれた枠組み内に手摺子が設けられた他方側手摺りユニットとがヒンジ部材を介して側枠同士が連結されて１つの手摺りユニットが構成され、前記一方側手摺りユニットと他方側手摺りユニットとが折り重なるように折り畳み可能かつ同一平面状に展開可能となっていることを特徴とするユニット型手摺り。
【請求項２】
前記ヒンジ部材は、前記側枠と同じ長さの長尺部材であり、部材長手方向に沿って左右一対で円弧状溝を備え、前記一方側手摺りユニットの連結側の側枠に形成された円弧状突起が前記円弧状溝に嵌入され、前記他方側手摺りユニットの連結側の側枠に形成された円弧状突起が前記円弧状溝に嵌入されることにより側枠同士が連結されている請求項１記載のユニット型手摺り。
【請求項３】
前記一方側手摺りユニットの連結側の側枠と、前記他方側手摺りユニットの連結側の側枠とは、組み合わせることによって閉合断面を構成する分割型側枠とされる請求項１，２いずれかに記載のユニット型手摺り。
【請求項４】
前記一方側手摺りユニットの非連結側の側枠及び前記他方側手摺りユニットの非連結側の側枠は、手摺り全体の端部となる場合は分割型側枠同士を組み合わせて閉合断面を構成した側枠とされ、他の手摺りユニットと接続される場合は組み合わせることによって閉合断面を構成する分割型側枠とされる請求項１〜３いずれかに記載のユニット型手摺り。
【請求項５】
前記下枠に対して、コンクリートスラブに固定された支持金物の起立突起部を嵌合させるために、下方側に開口するコ字状溝が形成されている請求項１〜４いずれかに記載のユニット型手摺り。
【発明の詳細な説明】
【技術分野】
【０００１】
本発明は、ハンドリング性、運搬及び搬入性及び施工効率等に優れたユニット型手摺りに関する。
【背景技術】
【０００２】
従来より、集合住宅用建物のベランダや通路にはスチール、ステンレス又はアルミ合金からなる手摺りが設けられている。従来の手摺りの施工は、施工場所で支柱を立設し、支柱間に上横材及び下横材を掛け渡し、上下の横材に対して立子、パネルフレームなどを取り付け、笠木を設置する手順、すなわち各部材を順に設置していくノックダウン方式により行われていたが、近年は施工の省力化等を考えてユニット方式が数多く開発・提案されている。
【０００３】
例えば、下記特許文献１では、建物のベランダや廊下用のコンクリートスラブの外側縁に適当な間隔おきに角筒状の支柱を柱脚部を介して立設すると共に、これら支柱の上端に笠木をかけ渡して固定し、これら各支柱間にかけ渡すことができる横幅が単位長さＬの立子組立体の四隅部に、それぞれ平面形状を段付き状に屈曲した連結具の基部を固着すると共に、その連結具の先端部をそれぞれ前記支柱に固定用のねじであるボルトおよびナットを介して固定するようにしたシステム手摺りが開示されている。
【０００４】
また、下記特許文献２には、支柱となる縦枠部材よりも外形寸法の小さい埋込部材を備えるとともに、支柱となる縦枠部材と、この縦枠部材の上面から横方向に延在する第１笠木と、この第１笠木に対して平行となるようにそれぞれ縦枠部材の一側面から横方向に延在する第２笠木および下桟とを備えている手摺りユニットを予め組み付け、これを手摺りの設置現場に搬入する工程と、手摺りの設置現場に設けたコンクリート構造体に取付孔を穿設する工程と、搬入した手摺りユニットの埋込部材を前記取付孔に挿入して固定する工程とを含む手摺りの設置工法が開示されている。
【先行技術文献】
【特許文献】
【０００５】
【特許文献１】特開平８−１２０８７２号公報
【特許文献２】特開２００２−２０１７８０号公報
【発明の概要】
【発明が解決しようとする課題】
【０００６】
前述のように、予め工場等で製作された手摺りユニットを施工現場に搬入して取付けを行うようしたユニット工法の場合は、施工効率を大幅に向上できるようになる。
【０００７】
前記ユニット工法では、１スパンの手摺りユニットの幅方向長さＬは、ハンドリング性、運搬及び搬入性及び施工性等を総合的に考慮して決定されることになる。施工現場での施工効率を優先した場合は、１スパンの幅方向長さＬが長い方が設置する手摺りユニットの数が減り施工効率が向上する。しかしながら、１スパンの幅方向長さＬが長いと、ハンドリング性、運搬及び搬入性及び施工性が悪くなるという問題が生じることになる。
【０００８】
そこで本発明の主たる課題は、１スパンの幅方向長さを十分に確保しながら、ハンドリング性、運搬及び搬入性及び施工効率等に優れたユニット型手摺りを提供することにある。
【課題を解決するための手段】
【０００９】
上記課題を解決するために請求項１に係る本発明として、上枠、下枠及び両側枠によって囲まれた枠組み内に手摺子が設けられた一方側手摺りユニットと、上枠、下枠及び両側枠によって囲まれた枠組み内に手摺子が設けられた他方側手摺りユニットとがヒンジ部材を介して側枠同士が連結されて１つの手摺りユニットが構成され、前記一方側手摺りユニットと他方側手摺りユニットとが折り重なるように折り畳み可能かつ同一平面状に展開可能となっていることを特徴とするユニット型手摺りが提供される。
【００１０】
上記請求項１記載の発明では、上枠、下枠及び両側枠によって囲まれた枠組み内に手摺子が設けられた一方側手摺りユニットと、上枠、下枠及び両側枠によって囲まれた枠組み内に手摺子が設けられた他方側手摺りユニットとがヒンジ部材を介して側枠同士が連結されて１つの手摺りユニットが構成されている。そして、前記一方側手摺りユニットと他方側手摺りユニットとが折り重なるように折り畳み可能かつ同一平面状に展開可能となっているものである。
【００１１】
従って、設置前は前記一方側手摺りユニットと他方側手摺りユニットとが折り重なるように折り畳んだ状態とすることでハンドリング性、運搬及び搬入性に優れるようになり、設置現場で前記一方側手摺りユニットと他方側手摺りユニットとを同一平面状に展開することで、１スパンの幅方向長さが十分に確保されるため施工効率に優れたものとできる。
【００１２】
請求項２に係る本発明として、前記ヒンジ部材は、前記側枠と同じ長さの長尺部材であり、部材長手方向に沿って左右一対で円弧状溝を備え、前記一方側手摺りユニットの連結側の側枠に形成された円弧状突起が前記円弧状溝に嵌入され、前記他方側手摺りユニットの連結側の側枠に形成された円弧状突起が前記円弧状溝に嵌入されることにより側枠同士が連結されている請求項１記載のユニット型手摺りが提供される。
【００１３】
上記請求項２記載の発明は、前記一方側手摺りユニットと他方側手摺りユニットとの連結構造を具体的に例示したものである。具体的には、前記ヒンジ部材は、前記側枠と同じ長さの長尺部材であり、部材長手方向に沿って左右一対で円弧状溝を備え、前記一方側手摺りユニットの連結側の側枠に形成された円弧状突起が前記円弧状溝に嵌入され、前記他方側手摺りユニットの連結側の側枠に形成された円弧状突起が前記円弧状溝に嵌入されることにより側枠同士が連結されている構造としたものである。
【００１４】
請求項３に係る本発明として、前記一方側手摺りユニットの連結側の側枠と、前記他方側手摺りユニットの連結側の側枠とは、組み合わせることによって閉合断面を構成する分割型側枠とされる請求項１，２いずれかに記載のユニット型手摺りが提供される。
【００１５】
上記請求項３記載の発明は、前記一方側手摺りユニット及び前記他方側手摺りユニットの連結側の側枠に関して、これらを組み合わせることにより閉合断面を構成する分割型側枠とすることにより連結部分の側枠形状を他の側枠形状と同一にでき外観を良好にできる。
【００１６】
請求項４に係る本発明として、前記一方側手摺りユニットの非連結側の側枠及び前記他方側手摺りユニットの非連結側の側枠は、手摺り全体の端部となる場合は分割型側枠同士を組み合わせて閉合断面を構成した側枠とされ、他の手摺りユニットと接続される場合は組み合わせることによって閉合断面を構成する分割型側枠とされる請求項１〜３いずれかに記載のユニット型手摺りが提供される。
【００１７】
上記請求項４記載の発明は、前記一方側手摺りユニット及び前記他方側手摺りユニットの非連結側の側枠に関して、更に他の手摺りユニットを接続する場合としない場合とで側枠の断面形状を変えるようにしたものである。具体的には、手摺り全体の端部となる場合は分割型側枠同士を組み合わせて閉合断面を構成した側枠とし、他の手摺りユニットと接続される場合は組み合わせることによって閉合断面を構成する分割型側枠とするようにしたものである。
【００１８】
請求項５に係る本発明として、前記下枠に対して、コンクリートスラブに固定された支持金物の起立突起部を嵌合させるために、下方側に開口するコ字状溝が形成されている請求項１〜４いずれかに記載のユニット型手摺りが提供される。
【００１９】
上記請求項５記載の発明では、前記一方側手摺りユニット及び前記他方側手摺りユニットの下枠に関して、コンクリートスラブに固定された支持金物のＬ字状突起を嵌合させるために、下方側に開口するコ字状溝を形成するようにしたものである。
【発明の効果】
【００２０】
以上詳説のとおり本発明によれば、１スパンの幅方向長さを十分に確保しながら、ハンドリング性、運搬及び搬入性及び施工効率等に優れたユニット型手摺りを提供できるようになる。
【図面の簡単な説明】
【００２１】
【図１】本発明に係るユニット型手摺り１の正面図である。
【図２】図１のII−II線矢視図(横断面図)である。
【図３】図１のIII−III線矢視図(縦断面図)である。
【図４】本発明に係るユニット型手摺り１の斜視図である。
【図５】ユニット型手摺り１の拡大横断面図である。
【図６】ユニット型手摺り１の、(A)は折り畳み状態図、(B)は展開状態図である。
【図７】ユニット型手摺り１の固定構造を示す縦断面図である。
【図８】図７のVIII−VIII線矢視図(底部側固定構造)である。
【図９】図７のIX−IX線矢視図(側部固定構造)である。
【図１０】水平方向支持金物９の取付け要領図である。
【図１１】笠木５の取付け要領を示す斜視図である。
【図１２】ユニット型手摺り１Ａに単独ユニット４を組み合わせる場合の要領図である。
【図１３】ユニット型手摺り１Ａ、１Ｂ同士を組み合わせ２連とする場合の要領図である。
【図１４】手摺子２４，３４の他例を示すユニット型手摺り１の正面図である。
【発明を実施するための形態】
【００２２】
以下、本発明の実施の形態について図面を参照しながら詳述する。
【００２３】
本発明に係るユニット型手摺り１は、図１〜図４に示されるように、上枠２０、下枠２１及び両側枠２２，２３によって囲まれた枠組み内に手摺子２４が設けられた一方側手摺りユニット２と、上枠３０、下枠３１及び両側枠３２、３３によって囲まれた枠組み内に手摺子３４が設けられた他方側手摺りユニット３とがヒンジ部材８を介して側枠同士が連結されて１つの手摺りユニットが構成されたものであり、前記ヒンジ部材８によって連結されることにより前記一方側手摺りユニット２と他方側手摺りユニット３とが折り重なるように折り畳み可能かつ同一平面状に展開可能となっているものである。なお、同図に示された手摺りは、１つのユニット型手摺り１のみによって構成されたものである。
【００２４】
以下、図面に基づいて詳述する。
【００２５】
前記一方側手摺りユニット２は、上枠２０、下枠２１及び両側枠２２，２３によって囲まれた枠組み内に手摺子２４が設けられたものである。前記上枠２０、下枠２１及び両側枠２２，２３及び手摺子２４の材質は、アルミ合金とするのが好ましい。特にアルミ合金とする場合には、加工が容易であるとともに、すべてのプレス加工及びタッピングホールを使用したビス組立とすることができ、製作工場の工員の熟練性に頼らずに安定した品質で製作できるようになる。また、陽極酸化複合被膜を施すことにより耐候性能が向上できるとともに、美観性及び再塗装等のランニングコストも削減できるようになる。
【００２６】
前記上枠２０は、図７及び図１０に示されるように、水平板部２０ａと、この水平板部２０ａの室外側端部から上方に延びる起立壁２０ｂと、前記水平板部２０ａの室内側端部から上方に延びる起立壁２０ｃと、この起立壁２０ａの上端から水平方向に延びる張出し板部２０ｄとからなる断面略溝型形状の部材が用いられている。前記張出し板部２０ｄは笠木５をネジ止めする際のボルト座面となっている部材であり、上枠２０の上面側に笠木５が被さるように設置され、前記張出し板部２０ｄの下面側から螺入されたネジ１１によって笠木５が固定されるようになっている。
【００２７】
前記下枠２１は、図７に示されるように、水平板部２１ａと、この水平板部２１ａの室外側端部から下方に延びる垂下壁２１ｂと、前記水平板部２１ａの室内側端部から下方に延びる垂下壁２１ｃと、前記水平板部２１ａの室内側端部から連続して下方側に開口するコ字状溝を形成している下向きコ字状部２１ｄとからなる部材が用いられている。前記下向きコ字状部２１ｄは、後述するように、コンクリートスラブＦに固定された支持金物６の起立突起部を嵌合させることによりユニット型手摺り１を鉛直支持させるための部材である。
【００２８】
前記側枠２２（非連結側）は、図５に示されるように、組み合わせることによって略矩形の閉合断面を構成するようにした分割型側枠とされる。具体的には、前記側枠２２は、分割側枠２２Ａと分割側枠２２Ｂとによって構成されている。一方側の分割側枠２２Ａは内方側面に左右一対のＬ字片２２ａによって手摺子２４の端部の呑込み溝が形成されるとともに、分割側枠２２Ｂに対する対向面側に開口２２ｂを有し、他方側の分割側枠２２Ｂは分割側枠２２Ａに対する対向面側に左右一対の突片２２ｃを有し、これら左右一対の突片２２ｃが前記分割側枠２２Ａの開口２２ａの縁に係合させるようにしながら組み合わされることによって略矩形の閉合断面を構成するようになっている。前記分割側枠２２Ｂの外面側には左右一対のＬ字片２２ｄが設けられ、この側端部に樹脂製のエンドカバー１２が設けられている。
【００２９】
前記側枠２３（連結側）は、図５に示されるように、ユニット型手摺り３の連結側側枠３３と組み合わされることにより略矩形の閉合断面を構成するようにした分割型側枠とされるとともに、前記ヒンジ部材８に対して平面視で回転可能に連結されている。具体的には。前記側枠２３は、内方側面に左右一対のＬ字片２３ａによって手摺子２４の端部の呑込み溝が形成されるとともに、ユニット型手摺り３の連結側側枠３３に対する対向面側の室内側にＬ字片２３ｂが設けられ、ユニット型手摺り３の連結側側枠３３に設けられたＬ字片３３ｂと当接するようになっている。また、前記側枠２３の室外側には後述するヒンジ部材８に係合する円弧状突起２３ｃが設けられている。
【００３０】
前記手摺子２４は、図３及び図７に示されるように、横ルーバータイプとされ、前記側枠２２，２３の間に上下方向に間隔をおいて水平方向に沿って配設されている。手摺子２４，２４…の両端部は、それぞれ前記側枠２２の内方側面に左右一対のＬ字片２２ａによって形成された呑込み溝と前記側枠２３の内方側面に左右一対のＬ字片２３ａによって形成された呑込み溝とに嵌入されている。前記手摺子２４は、上面が傾斜斜面とされた中空断面部材が用いられ、相対的に下側半分は室内側に垂下フィンを有するようにして目隠しとなるようにし、上側半分は垂下フィンを有しないようにして採光及び風通しがよくなるようにしている。なお、前記手摺子２４の設計に当たっては、幼児がよじ登れない形状及び隙間とすることが重要である。
【００３１】
一方、前記他方側ユニット型手摺り３は、前記ヒンジ部材８を境界線として前記一方側ユニット型手摺り２と線対称の構造を成している。すなわち、ユニット型手摺り３の上枠３０、下枠３１及び両側枠３２、３３、手摺子３４は、それぞれ前記他方側ユニット型手摺り２の上枠２０、下枠２１及び両側枠２２，２３、手摺子２４に対応しており、前記ヒンジ部材８を境界線として線対象の構造となっている。従って、前記他方側ユニット型手摺り３については説明を省略する。
【００３２】
前記一方側ユニット型手摺り２と前記他方側ユニット型手摺り３とは、前記ヒンジ部材８を介して相互に連結され、一つの手摺りユニット１を構成している。
【００３３】
前記ヒンジ部材８は、図１に示されるように、前記側枠２３、３３と同じ長さの長尺部材であり、図５に示されるように、部材長手方向に沿って左右一対で円弧状溝４ａ、４ｂを備えている。そして、前記一方側ユニット型手摺り２の側枠２３に形成された円弧状突起２３ｃが一方の円弧状溝４ａに嵌入され、前記他方側ユニット型手摺り３の側枠３３に形成された円弧状突起３３ｃが他方の円弧状溝４ｂに嵌入され、図６(A)に示されるように、前記一方側手摺りユニット２と他方側手摺りユニット３とが折り重なるように折り畳み可能となっているとともに、この状態から図６(B)に示されるように、前記一方側手摺りユニット２と他方側手摺りユニット３とが同一平面状に展開可能となっている。
【００３４】
〔ユニット型手摺り１の支持構造及び取付け要領〕
次に、前記ユニット型手摺り１の支持構造について詳述する。
【００３５】
図７に示されるように、前記ユニット型手摺り１は、コンクリートスラブＦに固定された鉛直方向支持金物６、７と、両側部のコンクリート壁Ｗに固定された水平方向支持金物９、１０とによって支持されるようになっている。
【００３６】
前記鉛直方向支持金物６、７は、コンクリートスラブＦに固定された断面Ｌ字形状の金物である。代表的に端部の前記鉛直方向支持金物６について図１０に基づいて詳述する。前記鉛直方向支持金物６は、水平板部６ａと起立突起部６ｂとからなる。前記水平部６ａはコンクリートアンカーボルト１４によって固定される部分であり、前記起立突起部６ｂは前記ユニット型手摺り１の下枠２１に形成された下向きコ字状部２１ｄに嵌合させることにより、ユニット型手摺り１を鉛直方向に支持するようになっている。前記鉛直方向支持金物６、７は、図２及び図８に示されるように、両側部に相対的に小幅の鉛直方向支持金物６，６が設けられ、中央部に相対的に大幅の鉛直方向支持金物７が設けられ、合計３箇所に設けられている。取付け要領は、予めコンクリートスラブＦの所定位置に鉛直方向支持金物６、７を固定しておき、上方側からユニット型手摺り１を落とし込むようにしながら前記下枠２１の下向きコ字状部２１ｄを前記起立突起部６ｂに嵌合させるようにする。
【００３７】
一方、前記水平方向支持金物９，１０は、コンクリート壁Ｗに固定されたブラケット状の金物である。代表的に片側の前記水平方向支持金物９について図１０に基づいて詳述する。なお、水平方向支持金物１０は前記水平方向支持金物９と反対勝手となっている。
【００３８】
同図１０に示されるように、前記水平方向支持金物９は、鉛直板部９Ａと、この鉛直板部９Ａの室外側の上辺から側枠２０側方向に延在する水平取付板部９Ｂとからなる。前記水平取付板部９Ｂには、上枠２０を側枠２２に固定するためのビス位置に対応して上枠２０方向に長い長孔９ａ、９ｂが形成されている。また、前記鉛直板部６Ａにはコンクリートアンカーボルト１４のための通孔９ｃが形成されている。
【００３９】
前記水平方向支持金物９は、予めユニット型手摺り１に取り付けた状態で施工現場に搬入するようにしてもよいが、現場にて取り付けるようにしてもよい。現場での取付け要領は、図１０(A)に示されるように、上枠２０を側枠２２に固定するためのビス１５，１５を一旦取り外して、図１０(B)に示されるように、水平方向支持金物９の水平取付板部９Ｂを所定位置にセットしたならば、ビス１５，１５を元の状態に取り付けるようにする。この際、ビス１５は固く締めずに水平方向支持金物９を上枠２０方向に移動可能な状態としておく。そして、ユニット型手摺り１を前述したように、鉛直方向支持金物６〜８によって支持させた状態とした後、水平方向位置を調整したならば、前記水平方向支持金物９の鉛直板部９Ａがコンクリート壁Ｗに接触するまで移動させたならば、ビス１５を締め付けて固定する。そして、コンクリートアンカーボルト１３によって鉛直板部９Ａをコンクリート壁Ｗに固定する。
【００４０】
前記ユニット型手摺り１をベランダ等に固定し終えたならば、上枠２０の上面に笠木５を設置し、下面側からビス１１を螺入させることにより笠木５の固定を図り、すべての設置作業を完了する。
【００４１】
〔ユニット型手摺り１と他のユニットとの接続〕
ベランダの間口寸法との関係で、ユニット型手摺り１は他のユニットと組み合わせる必要が生じることがある。
【００４２】
図１２に示される第１例は、一つのユニット型手摺り１Ａと単独ユニット型手摺り４とを組み合わせて手摺りを構成した例である。
【００４３】
この場合のユニット型手摺り１Ａは、前述したユニット型手摺り１と対比すると、手摺り全体の端部となる側枠については分割型側枠３２Ａ、３２Ｂ同士を組み合わせて閉合断面を構成した側枠３２とする点は同じであるが、前記単独ユニット型手摺り４と接続される側の側枠は前述したユニット型手摺り１の側枠２２の内、片側の分割型側枠２２Ａのみを単独で用いた側枠とする点で相違する。
【００４４】
一方の単独ユニット型手摺り４は、手摺り全体の端部となる側枠については、前記ユニット型手摺り１の分割型側枠２２Ａ、２２Ｂ同士を組み合わせて閉合断面を構成した側枠２２と同じものを用いるようにし、ユニット側手摺り１Ａと接続される側の側枠については、前記ユニット型手摺り１で用いた側枠２２の内、片側の分割型側枠２２Ｂのみを単独で用いるようにする。
【００４５】
このような構成とすることにより、前記ユニット型手摺り１Ａと単独ユニット型手摺り４とを接続した際、接続部分の側枠は分割型側枠２２Ａと分割型側枠２２Ｂとで閉合断面を構成した側枠とすることができる。
【００４６】
次いで、図１３に示される第２例は、ユニット型手摺り１Ａ、１Ｂ同士を連結して手摺りを構成した例である。
【００４７】
この場合のユニット型手摺り１Ａは、前述したユニット型手摺り１と対比すると、手摺り全体の端部となる側枠については分割型側枠３２Ａ、３２Ｂ同士を組み合わせて閉合断面を構成した側枠３２とする点は同じであるが、前記単独ユニット型手摺１Ｂと接続される側の側枠は前述したユニット型手摺り１の側枠２２の内、片側の分割型側枠２２Ａのみを単独で用いた側枠とする点で相違する。
【００４８】
一方のユニット型手摺り１Ｂは、手摺り全体の端部となる側枠については、前述したユニット型手摺り１の分割型側枠２２Ａ、２２Ｂ同士を組み合わせて閉合断面を構成した側枠２２と同じものを用いるようにし、ユニット側手摺り１Ａと接続される側の側枠については、前記ユニット型手摺り１で用いた側枠２２の内、片側の分割型側枠２２Ｂのみを単独で用いるようにする。
【００４９】
このような構成とすることにより、前記ユニット型手摺り１Ａとユニット型手摺り１Ｂとを接続した際、接続部分の側枠は分割型側枠２２Ａと分割型側枠２２Ｂとで閉合断面を構成した側枠とすることができる。
【００５０】
〔他の形態例〕
(1)上記形態例では、上枠２０、下枠２１及び両側枠２２，２３によって囲まれた枠組み内の手摺子２４及び上枠３０、下枠３１及び両側枠３２、３３によって囲まれた枠組み内の手摺子３４として、横ルーバータイプを採用したが、図１４に示されるように、縦ルーバータイプの手摺子２４，３４としてもよい。
(3)上記形態例では、図１３に２連のユニット型手摺り構造について示したが、３連又はそれ以上の連数とすることも可能である。
【符号の説明】
【００５１】
１・１Ａ・１Ｂ…ユニット型手摺り、２…一方側ユニット型手摺り、３…他方側ユニット型手摺り、４…単独ユニット型手摺り、５…笠木、６・７…鉛直方向支持金物、８…ヒンジ金物、９・１０…水平方向支持金物、１１・１５…ビス、１２…エンドカバー、１３・１４…コンクリートアンカーボルト
【図１】
2017071970.tif 000003
【図２】
2017071970.tif 000004
【図３】
2017071970.tif 000005
【図４】
2017071970.tif 000006
【図５】
2017071970.tif 000007
【図６】
2017071970.tif 000008
【図７】
2017071970.tif 000009
【図８】
2017071970.tif 000010
【図９】
2017071970.tif 000011
【図１０】
2017071970.tif 000012
【図１１】
2017071970.tif 000013
【図１２】
2017071970.tif 000014
【図１３】
2017071970.tif 000015
【図１４】
2017071970.tif 000016